(57)【要約】【課題】集中制御装置において、簡単な構成で、安価な信頼性の高い確実な一斉停止制御を提供すること。【解決手段】一斉停止手段５ａの送出信号を各制御機器の運転・停止手段２より送出される同一信号ラインに接続する信号切替手段４とを備え、前記信号切替手段の切り替え判断を各制御機器の運転状況表示手段の運転時のみに接続する簡単な構成とすることで、安価な信頼性の高い確実な一斉停止制御を提供することが出来る。また、一斉停止手段より送出された送信信号に、一定時間の送信信号延長を行う信号遅延手段６を設けた構成とすることで、接続する制御装置が異なっても確実に一斉停止制御を実現できる。【選択図】図２
2011185530.tif 000002
【特許請求の範囲】
【請求項１】
複数の制御機器の運転・停止を同一パルス信号で行う各制御機器に対応した運転・停止手段と、複数の制御機器の運転状況を各制御機器より送信されたレベル信号より表示する運転状況表示手段と、全制御機器の停止を行う１つの一斉停止手段と、前記一斉停止手段の送出信号を各制御機器の運転・停止手段より送出される同一信号ラインに接続する信号切替手段とを備え、前記信号切替手段の切り替え判断を各制御機器の運転状況表示手段の運転時のみに接続する構成とした集中制御装置。
【請求項２】
一斉停止手段より送出された送信信号に、一定時間の送信信号延長を行う、信号遅延手段を設けた構成とした請求項１に記載の集中制御装置。
【発明の詳細な説明】
【技術分野】
【０００１】
本発明は空気調和機等の制御機器を複数台制御する集中制御装置の一斉停止制御に関するものである。
【背景技術】
【０００２】
従来、この種の集中制御装置はマイクロコンピュータを搭載して一斉停止制御を行っている（例えば、特許文献１参照）。
【０００３】
図４は、特許文献１に記載された従来の集中制御装置における一斉停止制御を示す一例である。図４に示すように、各空気調和機の運転・停止制御を行う操作スイッチ５と一斉ＯＮ／ＯＦＦスイッチは、マイクロコンピュータ６及び内部の記憶装置１１に制御されており、確実に一斉ＯＦＦ制御も行えるものである。
【先行技術文献】
【特許文献】
【０００４】
【特許文献１】特開２０００−２１３７９６号公報
【発明の概要】
【発明が解決しようとする課題】
【０００５】
しかしながら、前記従来の構成では、常に接続された制御機器の運転状況を監視し、運転状態の制御機器に対する信号送出を管理するマイクロコンピュータが必要となり、極めて高価な集中制御装置となっていた。また、耐環境性の面でもノイズ、サージ等の外来電磁波の影響への対策も必要であり、設計開発面でも開発時間の掛かる製品品質保証に労力を必要とする課題を有していた。
【０００６】
本発明は、前記従来の課題を解決するもので、安価で容易に品質確保が出来る一斉停止制御を搭載した集中制御装置を提供することを目的とする。
【課題を解決するための手段】
【０００７】
前記従来の課題を解決するために、本発明の集中制御装置は、複数の制御機器の運転・停止を同一パルス信号で行う、各制御機器に対応した運転・停止手段と、複数の制御機器の運転状況を各制御機器より送信されたレベル信号より表示する運転状況表示手段と、全制御機器の停止を行う１つの一斉停止手段と、前記一斉停止手段の送出信号を各制御機器の運転・停止手段より送出される同一信号ラインに接続する信号切替手段とを備え、前記信号切替手段の切り替え判断を各制御機器の運転状況表示手段の運転時のみに接続する構成としたものである。
【０００８】
これによって、複雑な常時監視と停止制御管理を司るマイクロコンピュータの制御にたよらず、極めて容易に、安価なハード部品だけで一斉停止制御を実現するものである。
【０００９】
また、本発明の集中制御装置は、一斉停止手段より送出された送信信号に、一定時間の送信信号延長を行う、信号遅延手段を設けた構成としたものである。
【００１０】
これによって、接続される制御機器の運転停止に必要なパルス信号が少し異なる場合においても、このパルス信号を信号遅延手段で調整することにより、確実な一斉停止制御が実現できる。
【発明の効果】
【００１１】
本発明の集中制御装置は、安価なハード部品で確実な一斉停止制御を実現することができる。又、接続される制御装置が異なる場合であっても確実に全ての制御装置を一斉停止できる。
【図面の簡単な説明】
【００１２】
【図１】本発明の実施形態１における集中制御装置の構成図
【図２】本発明の実施形態２における集中制御装置の構成図
【図３】本発明の実施形態２における一斉停止信号のタイミング図
【図４】従来の集中制御装置の構成図
【発明を実施するための形態】
【００１３】
第１の発明は、複数の制御機器の運転・停止を同一パルス信号で行う、各制御機器に対応した運転・停止手段２と、複数の制御機器の運転状況を各制御機器より送信されたレベル信号より表示する運転状況表示手段３と、全制御機器の停止を行う１つの一斉停止手段５と、前記一斉停止手段５の送出信号を各制御機器の運転・停止手段２より送出される同一信号ラインに接続する信号切替手段４とを備え、前記信号切替手段４の切り替え判断を各制御機器の運転状況表示手段３の運転時のみに接続する構成とすることにより、安価な信頼性の高い確実な一斉停止制御を提供することが出来る。
【００１４】
第２の発明は、特に、第１の発明の集中制御装置において、一斉停止手段５より送出された送信信号に、一定時間の送信信号延長を行う、信号遅延手段６を設けた構成とすることにより、接続する制御機器の運転・停止信号が多少異なっても、確実に一斉停止制御を実現できる。もし正規の長さの時間が制御機器により異なった場合には、一斉停止制御手段５を人が操作した場合に、早く押した時に一部の制御機器は一定に停止できない状態が発生することにもなり、基本機能を満足できな。この問題を簡単に安価に回避する一斉停止制御を提供することが出来る。
【００１５】
（実施の形態１）
図１は、本発明の第１の実施の形態における集中制御装置の構成図を示すものである。
【００１６】
図１において、複数の制御機器７ａ〜７ｎの運転・停止を同一パルス信号８で行う各制御機器に対応した運転・停止手段２であるスイッチ２ａ〜２ｎと、複数の制御機器７の運転状況を各制御機器７より送信されたレベル信号９より表示する運転状況表示手段であるＬＥＤ３ａ〜３ｎと、全制御機器７ａ〜７ｎの停止を行う１つの一斉停止手段であるスイッチ５ａと、前記一斉停止手段の送出信号を各制御機器７の運転・停止手段より送出される同一信号ライン８に接続する信号切替手段であるトランジスタ４ａ〜４ｎとを備え、前記信号切替手段４の切り替え判断を各制御機器の運転状況表示手段３の運転時のみに接続する構成としたものである。
【００１７】
以上のように構成された集中制御装置について、以下その動作、作用を説明する。
【００１８】
まず、本接続構成は制御機器７ａ〜７ｎは空気調和機としてその動作を説明する。
集中制御装置１の運転停止スイッチ２ａを使用者が押した場合、その信号は接続線８より空気調和機７ａに送信される。この信号を受けて空気調和機は運転を開始し、運転モニター線９をＨｉからＬｏに切り替える。これにより集中制御装置内運転表示手段のＬＥＤ３ａが点灯する。集中制御装置に接続された他制御機器も同様の動作を行う。ここで、一斉停止スイッチ５ａを操作した場合、その信号（Ｈｉ）は信号切替手段のトランジスタ４ａのエミッタに接続されており、ベース信号がＬｏの場合、すなわち運転している制御装置であれば信号が接続線８に送出される。この動作は制御機器７ａの個別制御する運転・停
止スイッチ２ａと同一接続線８へ、あたかも個別スイッチを操作されたのと同じ動作となる。他の制御機器に対しても上記と同じ動作が行われることになる。
【００１９】
以上のように、本実施の形態においては運転モニタ信号９を一斉停止スイッチからの信号を切替える判断とすることにより、極めて簡単に安価で一斉停止制御を実現することが可能となる。
【００２０】
また、本実施の形態では集中制御装置と制御機器間通信はＪＥＭＡ−ＨＡに準拠した空気調和機や照明等の制御に対して有効であり、新たなシステム、プロトコル設計無しで一斉停止制御が可能となり、使い勝手の良い簡易システム構築が安価に実現可能である。
【００２１】
（実施の形態２）
図２は、本発明の第２の実施の形態の集中制御装置の構成図である。
【００２２】
図２において、実施の形態１の一斉停止スイッチ５ａからの信号切替手段４までの経路に信号遅延手段６を付加したものである。信号遅延手段６は、本実施の形態ではコンデンサ６ｄと抵抗６ｃにより放電時定数を持たせることにより一斉スイッチ５ａの押し下げ操作が終わっても時定数によるトランジスタ６ｂ及びトランジスタ６ａのＯＦＦ動作が遅れる。これにより、信号切り替え手段のトランジスタ４ａのＯＦＦ動作も遅れ、制御機器７ａへ少し長めのＯＦＦ信号が伝達される構成としたものである。
【００２３】
以上のように構成された集中制御装置について、以下その動作、作用を説明する。
【００２４】
図３においてユーザーによる一斉停止スイッチ５ａが押された場合の信号の遅れを示した物である。一斉停止スイッチがＯＦＦすることによって、コンデンサ６ｄに充電された電荷が抵抗６ｃ及びトランジスタ６ｂを経由して放電される。ここでトランジスタ６ｃのＶＢＥがＯＮ電圧を下回るまでトランジスタ６ａをＯＮし続ける。これはトランジスタ４ａのエミッタにＨｉ（Ｖｃｃ）電圧が印加されることになる。ここで、制御機器７ａが運転状態であればトランジスタ４ａのベースがＬｏとなっているため、コレクタにＨｉ出力が継続されることになる。したがって、図３の接続線８への送出信号は信号遅延時間ｔだけ一斉スイッチ５ａ信号より遅れる。
【００２５】
基本的に一斉停止スイッチの操作は人が行うため、パルス幅は一定ではない。一方この信号を受ける制御機器側の確実にＯＮ／ＯＦＦ信号として判断できるパルス幅も機器品種、メーカ、個体差等の差違が発生している。このことは、スイッチ操作の長／短により一部の制御機器が停止制御できない可能性をもっていることになり、重大な操作不具合になってしまいます。したがって本実施の形態２の構成にすることにより、人によるスイッチ操作に関わらず、接続された制御機器が全て正常に信号受信できるパルス幅を確保できることになる。極めて使い勝手の良い安価な一斉停止制御を実現する有益な構成である。
【産業上の利用可能性】
【００２６】
以上のように、本発明にかかる集中制御装置は安価で確実な一斉停止制御を実現できるものであり、ＪＡＭＡ−ＨＡ端子を装備する全ての制御機器及び、それに準じた装置へも適用できる。
【符号の説明】
【００２７】
１  集中制御装置
２  運転・停止手段
２ａ、２ｂ、２ｎ  運転・停止スイッチ
３  運転表示手段
３ａ、３ｂ、３ｎ  運転表示ＬＥＤ
４  信号切替手段
４ａ、４ｂ、４ｎ  トランジスタ
５ａ  一斉停止スイッチ
６  信号遅延手段
７ａ、７ｂ、７ｎ  制御機器
【図１】
2011185530.tif 000003
【図２】
2011185530.tif 000004
【図３】
2011185530.tif 000005
【図４】
2011185530.tif 000006